(57)【要約】  本開示によれば、参照信号（ＲＳ）送信に関係する基地局（ＢＳ）およびユーザ機器（ＵＥ）の挙動が説明される。ＢＳは、ショート物理ダウンリンク共有チャネル（ｓＰＤＳＣＨ）上の直交周波数分割多重（ＯＦＤＭ）シンボルの２つまたはそれ以上のグループ中のアンテナポートのセットに対応するＲＳを設定し得、ＲＳ送信のために使用されるサブキャリアインデックスがＯＦＤＭシンボルの少なくとも２つのグループ間で異なる。次いで、ＢＳはＲＳをＵＥに送信し得る。ＵＥは、ＲＳを受信し、受信されたＲＳに基づいてチャネル推定を実行する。【選択図】図９Ａ
2020530688.tif 000002
【特許請求の範囲】
【請求項１】
ショート物理ダウンリンク共有チャネル（ｓＰＤＳＣＨ）上の直交周波数分割多重（ＯＦＤＭ）シンボルの２つまたはそれ以上のグループ中で、アンテナポートのセットに対応するユーザ機器（ＵＥ）固有参照信号（ＵＥ−ＲＳ）を設定することであって、ＵＥ−ＲＳ送信のために使用されるサブキャリアインデックスがＯＦＤＭシンボルの少なくとも２つのグループ間で異なる、ユーザ機器（ＵＥ）固有参照信号（ＵＥ−ＲＳ）を設定することと、
前記ＵＥ−ＲＳをユーザ機器に送信すること
とを含む、基地局における方法。
【請求項２】
ＯＦＤＭシンボルの前記少なくとも２つのグループが、異なるショート送信時間間隔（ｓＴＴＩ）中で設定される、請求項１に記載の方法。
【請求項３】
ＯＦＤＭシンボルの各グループ中のＵＥ−ＲＳ送信のために使用されるサブキャリアの数が、ＯＦＤＭシンボルの前記グループが属するｓＴＴＩの長さに依存する、請求項２に記載の方法。
【請求項４】
ＯＦＤＭシンボルの各グループ中のＵＥ−ＲＳ送信のために使用される前記サブキャリアが均一に分配される、請求項２または３に記載の方法。
【請求項５】
より長い長さを有する第１のｓＴＴＩ中のＯＦＤＭシンボルの第１のグループ、およびより短い長さを有する第２のｓＴＴＩ中のＯＦＤＭシンボルの第２のグループについて、ＯＦＤＭシンボルの前記第２のグループよりも多数のサブキャリアがＯＦＤＭシンボルの前記第１のグループ中のＵＥ−ＲＳ送信のために設定される、請求項３に記載の方法。
【請求項６】
ＯＦＤＭシンボルの前記少なくとも２つのグループが同一のスロット中にある、請求項１に記載の方法。
【請求項７】
ＯＦＤＭシンボルの前記少なくとも２つのグループが異なるスロット中にある、請求項１に記載の方法。
【請求項８】
ＯＦＤＭシンボルの前記少なくとも２つのグループ中のＵＥ−ＲＳ送信のために異なる数のサブキャリアが設定される、請求項６または７に記載の方法。
【請求項９】
ＯＦＤＭシンボルの前記少なくとも２つのグループが異なるサブフレーム中で設定される、請求項１に記載の方法。
【請求項１０】
プロセッサと、
前記プロセッサ上で実行されたとき、請求項１から９のいずれか一項に記載の方法を前記プロセッサに実行させるコンピュータプログラムを記憶したメモリと
を備える、基地局。
【請求項１１】
基地局からユーザ機器（ＵＥ）固有参照信号（ＵＥ−ＲＳ）を受信することであって、アンテナポートのセットに対応する前記ＵＥ−ＲＳがショート物理ダウンリンク共有チャネル（ｓＰＤＳＣＨ）上の直交周波数分割多重（ＯＦＤＭ）シンボルの２つまたはそれ以上のグループ中で設定され、ＵＥ−ＲＳ送信のために使用されるサブキャリアインデックスがＯＦＤＭシンボルの少なくとも２つのグループ間で異なる、ユーザ機器（ＵＥ）固有参照信号（ＵＥ−ＲＳ）を受信することと、
前記受信されたＵＥ−ＲＳに基づいてチャネル推定を実行すること
とを含む、ユーザ機器における方法。
【請求項１２】
ＯＦＤＭシンボルの前記少なくとも２つのグループが、異なるショート送信時間間隔（ｓＴＴＩ）中で設定される、請求項１１に記載の方法。
【請求項１３】
ＯＦＤＭシンボルの各グループ中のＵＥ−ＲＳ送信のために使用されるサブキャリアの数が、ＯＦＤＭシンボルの前記グループが属するｓＴＴＩの長さに依存する、請求項１２に記載の方法。
【請求項１４】
ＯＦＤＭシンボルの各グループ中のＵＥ−ＲＳ送信のために使用される前記サブキャリアが均一に分配される、請求項１２または１３に記載の方法。
【請求項１５】
より長い長さを有する第１のｓＴＴＩ中のＯＦＤＭシンボルの第１のグループ、およびより短い長さを有する第２のｓＴＴＩ中のＯＦＤＭシンボルの第２のグループについて、ＯＦＤＭシンボルの前記第２のグループよりも多数のサブキャリアがＯＦＤＭシンボルの前記第１のグループ中のＵＥ−ＲＳ送信のために設定される、請求項１３に記載の方法。
【請求項１６】
ＯＦＤＭシンボルの前記少なくとも２つのグループが同一のスロット中にある、請求項１１に記載の方法。
【請求項１７】
ＯＦＤＭシンボルの前記少なくとも２つのグループが異なるスロット中にある、請求項１１に記載の方法。
【請求項１８】
ＯＦＤＭシンボルの前記少なくとも２つのグループ中のＵＥ−ＲＳ送信のために異なる数のサブキャリアが設定される、請求項１６または１７に記載の方法。
【請求項１９】
ＯＦＤＭシンボルの前記少なくとも２つのグループが異なるサブフレーム中で設定される、請求項１１に記載の方法。
【請求項２０】
プロセッサと、
前記プロセッサ上で実行されたとき、請求項１１から１９のいずれか一項に記載の方法を前記プロセッサに実行させるコンピュータプログラムを記憶したメモリと
を備える、ユーザ機器。
【請求項２１】
少なくとも１つのプロセッサ上で実行されたとき、請求項１から９のいずれか一項に記載の方法を前記少なくとも１つのプロセッサに実行させるコンピュータプログラムを記憶している、コンピュータ可読記憶媒体。
【請求項２２】
少なくとも１つのプロセッサ上で実行されたとき、請求項１１から１９のいずれか一項に記載の方法を前記少なくとも１つのプロセッサに実行させるコンピュータプログラムを記憶している、コンピュータ可読記憶媒体。
【発明の詳細な説明】
【技術分野】
【０００１】
本開示は、一般に無線通信の技術分野に関し、詳細には、参照信号（たとえば、ユーザ機器（ＵＥ）固有参照信号（ＵＥ−ＲＳ））送信に関係する基地局（ＢＳ）およびユーザ機器（ＵＥ）の挙動に関する。
【背景技術】
【０００２】
第３世代パートナーシッププロジェクション（３ＧＰＰ）において、広範囲の機械の間で通信の手段を与えるためにどのように現在のモバイル通信システムを向上させるかが議論されている。これのサブグループが、極めて低いレイテンシ、極めて高い信頼性、および極めて高い利用可能性の通信要件が満たされなければならない、クリティカルマシン型通信（ＣＭＴＣ）である。
例示的な使用事例は
−  アクチュエータ、センサ、および制御システムが互いに通信する、ファクトリオートメーション。一般的な要件は１ｍｓレイテンシである。
−  建設ロボット内の動き制御、１ｍｓレイテンシ
−  機械のリモートコントロール、５〜１００ｍｓレイテンシ、
−  スマートエネルギーグリッド、３〜５ｍｓ
−  ＴＣＰ／ＩＰスロースタート問題に関するパフォーマンス向上
である。
【０００３】
そのような要件および使用事例を満たすための候補通信システムは、ロングタームエボリューション（ＬＴＥ）、および、たとえば、３ＧＰＰによって新無線（ＮＲ）と呼ばれる新たに開発された無線アクセスソリューションである。
【０００４】
ショート送信時間間隔（ｓＴＴＩ）概念において、スケジューリングユニットはレギュラースロット（１ｍｓ）ＴＴＩまたはｓＴＴＩ（＜１ｍｓ）のいずれかとして定義される。ｓＴＴＩスロットは、１つまたはいくつかの連続的な直交周波数分割多重（ＯＦＤＭ）シンボルからなることができる。１つの可能な成果は、スロットが２個または７個のＯＦＤＭシンボルからなることであるが、たとえば１４個よりも少ないＯＦＤＭシンボルの他の構造も想定される。
【０００５】
さらに、ｓＴＴＩ対応ＵＥは、アプリケーション要件に応じて異なるタイプのトラフィックをサポートし得る。１つのそのような例は、エンハンスドモバイルブロードバンド（ｅＭＢＢ）通信と低レイテンシトラフィックとの共存である。
【発明の概要】
【０００６】
より短いＴＴＩにより、既存のレギュラーＴＴＩ  ＲＳ（たとえば、ＵＥ−ＲＳまたは復調用参照信号（ＤＭＲＳ））はレギュラーＴＴＩ事例の場合ほどうまく動作しない。ｓＴＴＩシナリオは、現在の３ＧＰＰ議論、２／３ＯＦＤＭシンボル（２／３ＯＳ）、およびスロットベースｓＴＴＩにおいて異なる長さを含む。時間とともに拡散するそれらのトランスポートブロックは非ｓＴＴＩのトランスポートブロックよりも短い。ダウンリンク（ＤＬ）ＲＳ（たとえば、ＤＭＲＳ）のパフォーマンスは再評価されるべきであり、異なるｓＴＴＩ内のＲＳ（たとえば、ＵＥ−ＲＳまたはＤＭＲＳ）パターンも、チャネル推定正確さと発生するオーバーヘッドとの間の最良のトレードオフのために調整／再設計されるべきである。「ＵＥ−ＲＳ」および「ＤＭＲＳ」という用語は、本開示では互換的に使用され得ることに留意されたい。
【０００７】
本開示の第１の態様によれば、ショート物理ダウンリンク共有チャネル（ｓＰＤＳＣＨ）上の直交周波数分割多重（ＯＦＤＭ）シンボルの２つまたはそれ以上のグループ中のアンテナポートのセットに対応するユーザ機器（ＵＥ）固有参照信号（ＵＥ−ＲＳ）を設定することであって、ＵＥ−ＲＳ送信のために使用されるサブキャリアインデックスがＯＦＤＭシンボルの少なくとも２つのグループ間で異なる、ユーザ機器（ＵＥ）固有参照信号（ＵＥ−ＲＳ）を設定することと、ＵＥ−ＲＳをユーザ機器に送信することとを含む、基地局における方法が提供され得る。
【０００８】
本開示の第２の態様によれば、基地局からユーザ機器（ＵＥ）固有参照信号（ＵＥ−ＲＳ）を受信することであって、アンテナポートのセットに対応するＵＥ−ＲＳがショート物理ダウンリンク共有チャネル（ｓＰＤＳＣＨ）上の直交周波数分割多重（ＯＦＤＭ）シンボルの２つまたはそれ以上のグループ中で設定され、ＵＥ−ＲＳ送信のために使用されるサブキャリアインデックスがＯＦＤＭシンボルの少なくとも２つのグループ間で異なる、ユーザ機器（ＵＥ）固有参照信号（ＵＥ−ＲＳ）を受信することと、受信されたＵＥ−ＲＳに基づいてチャネル推定を実行することとを含む、ユーザ機器における方法が提供され得る。
【０００９】
一例では、ＯＦＤＭシンボルの少なくとも２つのグループは、異なるショート送信時間間隔（ｓＴＴＩ）中で設定され得る。
【００１０】
一例では、ＯＦＤＭシンボルの各グループ中のＵＥ−ＲＳ送信のために使用されるサブキャリアの数は、ＯＦＤＭシンボルのグループが属するｓＴＴＩの長さに依存し得る。
【００１１】
一例では、ＯＦＤＭシンボルの各グループ中のＵＥ−ＲＳ送信のために使用されるサブキャリアは均一に分配され得る。
【００１２】
一例では、より長い長さを有する第１のｓＴＴＩ中のＯＦＤＭシンボルの第１のグループ、およびより短い長さを有する第２のｓＴＴＩ中のＯＦＤＭシンボルの第２のグループについて、ＯＦＤＭシンボルの第２のグループよりも多数のサブキャリアがＯＦＤＭシンボルの第１のグループ中のＵＥ−ＲＳ送信のために設定され得る。
【００１３】
一例では、ＯＦＤＭシンボルの少なくとも２つのグループは同一のスロット中にあり得る。
【００１４】
一例では、ＯＦＤＭシンボルの少なくとも２つのグループは異なるスロット中にあり得る。
【００１５】
一例では、ＯＦＤＭシンボルの少なくとも２つのグループ中のＵＥ−ＲＳ送信のために異なる数のサブキャリアが設定され得る。
【００１６】
一例では、ＯＦＤＭシンボルの少なくとも２つのグループは異なるサブフレーム中で設定され得る。
【００１７】
本開示の第３の態様によれば、プロセッサと、プロセッサ上で実行されたとき、本開示の第１の態様および／または本開示の第１の態様から導出される上記の例のいずれかによる方法をプロセッサに実行させるコンピュータプログラムを記憶したメモリとを備える、基地局が提供され得る。
【００１８】
本開示の第４の態様によれば、プロセッサと、プロセッサ上で実行されたとき、本開示の第２の態様および／または本開示の第２の態様から導出される上記の例のいずれかによる方法をプロセッサに実行させるコンピュータプログラムを記憶したメモリとを備える、ユーザ機器が提供され得る。
【００１９】
本開示の第５の態様によれば、少なくとも１つのプロセッサ上で実行されたとき、本開示の第１および第２の態様のいずれかおよび／または本開示の第１および第２の態様から導出される上記の例のいずれかによる方法を少なくとも１つのプロセッサに実行させるコンピュータプログラムを記憶したコンピュータ可読記憶媒体が提供され得る。
【００２０】
提案される方式は、チャネル推定有効性とオーバーヘッドとの間のより良いトレードオフを達成し得る。
【００２１】
本開示は、チャネル推定正確さとＤＭＲＳによって発生したオーバーヘッドとの間の有益なトレードオフを提供する。
【００２２】
ＤＭＲＳを搬送する異なるシンボル間のＤＭＲＳサブキャリアインデックスを変動させることによって、ＤＭＲＳオーバーヘッドを制限しながら、時間および周波数変動のより良い（遅延および／またはドップラー拡散に対してよりロバストな）処理が達成され得る。
【００２３】
本開示の上記および他の目的、特徴、および利点は、図面を参照しながら、本開示の実施形態に関する以下の説明から明らかになろう。
【図面の簡単な説明】
【００２４】
【図１Ａ】サブキャリア中のＤＭＲＳリソースエレメント（ＲＥ）シフティングがインターｓＴＴＩシナリオにおいて適用される実施形態の概略図である。
【図１Ｂ】サブキャリア中のＤＭＲＳ  ＲＥシフティングがインターｓＴＴＩシナリオにおいて適用される別の実施形態の概略図である。
【図２】異なる数のＤＭＲＳ  ＲＥがｓＴＴＩの異なる長さに応じて適用される実施形態の概略図である。
【図３Ａ】サブキャリア中のＤＭＲＳ  ＲＥシフティングがイントラスロットシナリオにおいて適用される実施形態の概略図である。
【図３Ｂ】サブキャリア中のＤＭＲＳ  ＲＥシフティングがイントラスロットシナリオにおいて適用される別の実施形態の概略図である。
【図４】異なる数のＤＭＲＳ  ＲＥが異なるスロットのために適用される実施形態の概略図である。
【図５】サブキャリア中のＤＭＲＳ  ＲＥシフティングがインターサブフレームシナリオにおいて適用される実施形態を示す概略図である。
【図６】サブキャリア中のＤＭＲＳ  ＲＥシフティングおよび異なる数のＤＭＲＳ  ＲＥがイントラスロットシナリオにおいて適用される実施形態の概略図である。
【図７Ａ】ＤＭＲＳ  ＲＥがサブキャリア中でシフトされない同等の例の概略の図である。
【図７Ｂ】ＤＭＲＳ  ＲＥがサブキャリア中でシフトされない同等の例の概略の図である。
【図７Ｃ】ＤＭＲＳ  ＲＥがサブキャリア中でシフトされない同等の例の概略の図である。
【図７Ｄ】ＤＭＲＳ  ＲＥがサブキャリア中でシフトされない同等の例の概略の図である。
【図８Ａ】図６の実施形態と図７Ａ〜図７Ｄの同等の例との間のブロックエラーレート（ＢＬＥＲ）比較を示す図である。
【図８Ｂ】図６の実施形態と図７Ａ〜図７Ｄの同等の例との間のスループット比較を示す図である。
【図９Ａ】本開示による実施形態のうちの少なくともいくつかを実装するためのＢＳのフローチャート９１０を示す図である。
【図９Ｂ】本開示による実施形態のうちの少なくともいくつかを実装するためのＵＥのフローチャート９２０を示す図である。
【図１０】ＢＳまたはＵＥとして使用され得る装置１０００の実施形態を概略的に示す図である。
【発明を実施するための形態】
【００２５】
図面において、同様のまたは同じステップおよび／または要素は同様のまたは同じ参照番号で指定される。図面に示されたすべてのステップおよび／または要素が本開示のいくつかの実施形態において必要であるとは限らないことに留意されたい。
【００２６】
以下の説明において、本技法の特定の実施形態の具体的な詳細は限定ではなく説明の目的で記載されている。他の実施形態は、これらの具体的な詳細から離れて採用され得ることが、当業者によって諒解されよう。さらに、いくつかの事例では、よく知られている方法、ノード、インターフェース、回路、およびデバイスの詳細な説明が、不要な詳細で説明を不明瞭にしないように省略される。
【００２７】
本明細書における「一実施形態」、「実施形態」などの参照は、説明される実施形態が特定の特徴、構造、または特性を含み得ることを示すが、あらゆる実施形態が特定の特徴、構造、または特性を含む必要はない。その上、そのようなフレーズは必ずしも同じ実施形態を指しているとは限らない。さらに、特定の特徴、構造、または特性が実施形態とともに説明されるとき、明示的に説明されているか否かにかかわらず、他の実施形態とともにそのような特徴、構造、または特性を実施することは当業者の知識内であることがサブミットされる。
【００２８】
「第１の」および「第２の」などの用語は、様々な要素について説明するために本明細書で使用され得るが、これらの要素はこれらの用語によって限定されるべきでないことを理解されたい。これらの用語は、１つの要素を別の要素と区別するためにのみ使用される。たとえば、例示的な実施形態の範囲から逸脱することなく、第１の要素は第２の要素と呼ばれることがあり、同様に、第２の要素は第１の要素と呼ばれることがある。本明細書で使用する際、「および／または」という用語は、関連する記載された用語のうちの１つまたは複数の任意のおよびすべての組合せを含む。
【００２９】
説明される機能は１つのノードにおいてまたはいくつかのノードにおいて実装され得ることを、当業者は諒解しよう。説明される機能のいくつかのまたはすべては、ＡＳＩＣ、ＰＬＡなど、専用機能を実行するように相互接続されたアナログおよび／またはディスクリート論理ゲートなど、ハードウェア回路を使用して実装され得る。同様に、機能のいくつかのまたはすべては、１つまたは複数のデジタルマイクロプロセッサまたは汎用コンピュータとともにソフトウェアプログラムおよびデータを使用して実装され得る。エアインターフェースを使用して通信するノードが説明される場合、それらのノードはまた、好適な無線通信回路を有することが諒解されよう。その上、技術は、プロセッサに本明細書で説明される技法を実行させるであろうコンピュータ命令の適切なセットを含んでいる、固体メモリ、磁気ディスク、または光ディスクなど、非一時的実施形態を含む、任意の形態のコンピュータ可読メモリ内で完全に実施されるとさらに考えられ得る。
【００３０】
現在開示されている技法のハードウェア実装は、特定用途向け集積回路（ＡＳＩＣ）および／またはフィールドプログラマブルゲートアレイ（ＦＰＧＡ）、および（適切な場合）そのような機能を実行することが可能な状態機械を限定はしないが含む、デジタル信号プロセッサ（ＤＳＰ）ハードウェア、縮小命令セットプロセッサ、ハードウェア（たとえば、デジタルまたはアナログ）回路を限定はしないが含むかまたは包含し得る。
【００３１】
コンピュータ実装に関して、コンピュータは、一般に、１つまたは複数のプロセッサまたは１つまたは複数のコントローラを備えることが理解され、コンピュータ、プロセッサ、およびコントローラという用語は互換的に採用され得る。コンピュータ、プロセッサ、またはコントローラによって与えられるとき、機能は、単一の専用コンピュータまたはプロセッサまたはコントローラによって、単一の共有コンピュータまたはプロセッサまたはコントローラによって、あるいは複数の個々のコンピュータまたはプロセッサまたはコントローラによって与えられ得、このうちのいくつかは共有または分配され得る。その上、「プロセッサ」または「コントローラ」という用語はまた、そのような機能を実行すること、および／または上記で具陳された例示的なハードウェアなど、ソフトウェアを実行することが可能な、他のハードウェアに関する。
【００３２】
様々な無線システムは、当業者によって諒解されるように、本開示内でカバーされるアイデアを活用することから利益を得るので、「基地局」、「ユーザ機器」、「アクセスポイント」および「ネットワークノード」のような用語は、本明細書で使用する際、広い意味で理解されるべきである。詳細には、基地局は、第２世代（２Ｇ）ネットワークにおけるレガシー基地局、第３世代（３Ｇ）ネットワークにおけるノードＢ、第４世代（４Ｇ）におけるエボルブドノードＢ（ｅノードＢ）、第５世代（５Ｇ）またはＮＲネットワークまたは将来のエボルブドネットワーク（たとえば、ＬＴＥネットワーク、ＬＴＥ−Ａネットワークなど）におけるｇＮＢなどを包含することが理解されるべきである。ユーザ機器は、携帯電話、スマートフォン、無線対応タブレットまたはパーソナルコンピュータ、無線マシンツーマシンユニットなどを包含することが理解されるべきである。
【００３３】
本開示の第１の態様によれば、ＵＥ−ＲＳ送信のために使用されるサブキャリアインデックスがＯＦＤＭシンボル（ＯＳ）の少なくとも２つのグループ間で異なるように、基地局（ＢＳ）はショート物理ダウンリンク共有チャネル（ｓＰＤＳＣＨ）上の直交周波数分割多重（ＯＦＤＭ）シンボルの２つまたはそれ以上のグループ中のユーザ機器（ＵＥ）固有参照信号（ＵＥ−ＲＳ）を設定し得る。次いで、基地局はＵＥ−ＲＳをユーザ機器に送信し得る。本明細書では、ＯＦＤＭシンボルのグループがその中でＵＥ−ＲＳを搬送し得る場合のみ、ＯＦＤＭシンボルのグループは２つまたは３つまたはそれ以上のＯＦＤＭシンボルからなり得、本開示はそれに限定されない。
【００３４】
本開示の第２の態様によれば、ユーザ機器（ＵＥ）は、基地局からＵＥ−ＲＳを受信し得、ＵＥ−ＲＳはｓＰＤＳＣＨ上のＯＦＤＭシンボルの２つまたはそれ以上のグループ中で設定され、ＵＥ−ＲＳ送信のために使用されるサブキャリアインデックスはＯＦＤＭシンボルの少なくとも２つのグループ間で異なる。次いで、ユーザ機器は、受信されたＵＥ−ＲＳに基づいてチャネル推定を実行し得る。また、本明細書では、ＯＦＤＭシンボルのグループがその中でＵＥ−ＲＳを搬送し得る場合のみ、ＯＦＤＭシンボルのグループは２つまたは３つまたはそれ以上のＯＦＤＭシンボルからなり得、本開示はそれに限定されない。
【００３５】
ＵＥ−ＲＳは、ＬＴＥのコンテキストでは復調用参照信号（ＤＭＲＳ）とも呼ばれ得る。したがって、「ＵＥ−ＲＳ」および「ＤＭＲＳ」という用語は、本開示では互換的に使用され得る。
【００３６】
ＲＡＮ１＃８９では、ショートＴＴＩのためのＤＭＲＳパターンについて以下の合意がなされた。
−  ダウンリンク（ＤＬ）ＤＭＲＳパターンは２レイヤ２／３シンボルショート物理ダウンリンク共有チャネル（ｓＰＤＳＣＨ）のために固定される。
−  オプション１、２、３の間でダウン選択される（Ｘ＝２Ｎ＋１またはＸ＝２Ｎ、ここで、Ｎはリソースブロック（ＲＢ）の数）。
−  ＤＬ  ＤＭＲＳは２／３シンボルｓＰＤＳＣＨのための同じＵＥのための２つの連続するｓＴＴＩ間で共有され得る。
−  サブフレームにわたる共有はサポートされない。
−  さらなる研究のために（ＦＦＳ）：スロットにわたる共有
−  ＦＦＳ：３つの連続するｓＴＴＩ
−  周波数領域におけるＤＬ  ＤＭＲＳリソースエレメント（ＲＥ）シフトは、セル固有参照信号（ＣＲＳ）ＲＥと衝突するときにサポートされる。
【００３７】
本開示では、説明は、レギュラー１ｍｓＴＴＩと同様にＤＭＲＳ設計に基づき、ＤＭＲＳは、２つのＲＥが（重複するが、直交カバーコードによって分離される、以下で「ポート」または「ポート（複数）」と呼ばれる）２つのアンテナポートのためのＤＭＲＳを搬送する、ＲＥペアとして配置される。しかしながら、特定のシステム実装に応じて、１つのＤＭＲＳは２つのリソースエレメント（ＲＥ）、３つのＲＥ、４つのＲＥ、またはさらに多いＲＥを占有し得る。例示の目的で、１つのＤＭＲＳは、図面中の２つのＲＥを占有するように示されているが、本開示はそれに限定されない。さらに、本開示では、ＵＥ−ＲＳ（ＤＭＲＳ）は、アンテナポートのセット（たとえば、２つのアンテナポート、３つのアンテナポート、または任意の好適な数のアンテナポート）に対応するように設定され得る。
【００３８】
さらに、実施形態は、ＬＴＥにおける物理リソース構成のコンテキストにおいて与えられるが、同じ機構はＮＲにおいても採用され得ることに留意されたい。
【００３９】
以下で、本開示の実施形態について図面とともに詳細に説明する。図面において、ＯＦＤＭシンボルのグループは２つのＯＦＤＭシンボルからなるように示されているが、前述のように、ＯＦＤＭシンボルのグループがその中でＤＭＲＳを搬送し得る場合のみ、ＯＦＤＭシンボルのグループは３つのＯＦＤＭシンボル、４つのＯＦＤＭシンボル、または任意の好適な数のＯＦＤＭシンボルからなり得ることに留意されたい。
【００４０】
図９Ａは、本開示による実施形態のうちの少なくともいくつかを実装するためのＢＳのフローチャート９１０を示す。
【００４１】
図９Ａにおいて、方法９１０は、ショート物理ダウンリンク共有チャネル（ｓＰＤＳＣＨ）上のＯＦＤＭシンボルの２つまたはそれ以上のグループ中にＤＭＲＳを設定するステップＳ９１２を含む。本明細書では、ＤＭＲＳは、ＤＭＲＳ送信のために使用されるサブキャリアインデックスが周波数領域中のＯＦＤＭシンボルの少なくとも２つのグループ間で異なるように、（後で詳述する）図１Ａ〜図６に示された実施形態のうちのいずれか１つ、または互いに矛盾しない場合、それらの任意の組合せに従って設定され得る。その後、方法９１０は、ｓＰＤＳＣＨチャネル上でＵＥにＤＭＲＳを送信するＳ９１４のステップを含む。
【００４２】
図９Ｂは、本開示による実施形態のうちの少なくともいくつかを実装するためのＵＥのフローチャート９２０を示す。
【００４３】
図９Ｂにおいて、方法９２０は、ｓＰＤＳＣＨチャネル上でＢＳからＤＭＲＳを受信するステップＳ９２２を含む。本明細書では、ＤＭＲＳは、ＤＭＲＳ送信のために使用されるサブキャリアインデックスがＯＦＤＭシンボルの少なくとも２つのグループ間で異なるように、（後で詳述する）図１Ａ〜図６に示された実施形態のうちのいずれか１つ、または互いに矛盾しない場合、それらの任意の組合せに従ってＯＦＤＭシンボルの２つまたはそれ以上のグループ中に設定され得る。その後、方法９２０は、受信されたＤＭＲＳに基づいてチャネル推定を実行するステップＳ９２２を含む。
【００４４】
図１Ａは、サブキャリア中のＤＭＲＳ  ＲＥシフティングがインターｓＴＴＩシナリオにおいて適用される実施形態の概略図を示す。図１Ａでは、２つのポートの例が示されている。そこでは、ＤＭＲＳはＲＥの１つのペアを占有する。
【００４５】
図１Ａでは、２つのサブフレーム、サブフレーム０およびサブフレーム１が時間領域中に示されている。しかしながら、それらの後続のサブフレームについて、それらは同様にサブフレーム０および／またはサブフレーム１として設定され得る。サブフレーム０およびサブフレーム１の各々は２つのスロット、スロット０およびスロット１からなり得る。スロット０およびスロット１の各々は時間領域中の７つのＯＦＤＭシンボル（ＯＳ）からなり得る。周波数領域において、各ＯＦＤＭシンボルは、連続的にインデックス付けされる１２個のサブキャリアを含み得る。図１Ａでは、１つのショートＴＴＩ（ｓＴＴＩ）は２つまたは３つのＯＦＤＭシンボルを含み、１つのスロットは３つのｓＴＴＩからなる。チャネル態様に鑑みて、物理ダウンリンク制御チャネル（ＰＤＣＣＨ）はそれぞれのサブフレームのスロット０の第１のｓＴＴＩ中に位置し、物理ダウンリンク共有チャネル（ＰＤＳＣＨ）は少なくとも残りの第２〜第６のｓＴＴＩを含む。また、図１Ａに示されているように、２つのＯＦＤＭシンボルはＯＦＤＭシンボルの１つのグループにグループ化され、したがって、１つのスロットはＯＦＤＭシンボルの２つまたは３つのグループを含み得る。たとえば、スロット０はＯＦＤＭシンボルの２つのグループを含み、スロット１はＯＦＤＭシンボルの３つのグループを含む。さらに、１つのＤＭＲＳは２つのＲＥを占有する。サブフレーム、スロット、ｓＴＴＩ、ＰＤＣＣＨ、ＰＤＳＣＨ、ＯＳのグループについての同じ説明は図１Ｂおよび図２にも適用され得、したがって、それらは、図１Ｂおよび図２について説明するとき、簡潔および簡明のために反復されない。
【００４６】
図１Ａによれば、ＤＭＲＳパターンが時間および周波数領域にわたって拡散するようにできる限り分配され得るように、ＤＭＲＳ  ＲＥのロケーション（サブキャリアインデックス）はｓＴＴＩに応じて変更される。すなわち、ＤＭＲＳ送信のために使用されるサブキャリアインデックスは、周波数領域中のＯＦＤＭシンボルの少なくとも２つのグループ間で異なり、ＯＦＤＭシンボルの少なくとも２つのグループは時間領域中の異なるｓＴＴＩ中で設定され得る。ＯＳの２つのグループ間で異なるサブキャリアインデックスがただ１つである場合、すなわち、サブキャリアインデックスが、互いに完全に異なり得るかまたは部分的に異なり得る場合でも、ＯＳの２つのグループ中のＤＭＲＳ送信のために使用されるサブキャリアインデックスは異なる。
【００４７】
一例では、同数のＤＭＲＳ  ＲＥ（サブキャリア）が異なるタイプのｓＴＴＩのために使用される。たとえば、図１Ａに示されているように、ＤＭＲＳ  ＲＥ（２つのサブキャリア）の２つのペアが２ＯＳ  ｓＴＴＩと３ＯＳ  ｓＴＴＩの両方のために使用される。
【００４８】
さらなる例では、ＯＳの各グループ中のＤＭＲＳ送信のために使用されるサブキャリアは、周波数領域において均一に分配され得る。たとえば、図１Ａに示されているように、サブキャリアインデックスの間隔は５である。
【００４９】
図１Ｂは、サブキャリア中のＤＭＲＳ  ＲＥシフティングがインターｓＴＴＩシナリオにおいて適用される別の実施形態の概略図を示す。図１Ｂでは、４つのポートの例が示されている。そこでは、ＤＭＲＳはＲＥペアの２つのセットを占有し、すなわち、ＤＭＲＳ１は２つのポートに対応し、ＤＭＲＳ２は別の２つのポートに対応し、図１Ｂにおいて、ＤＭＲＳ１およびＤＭＲＳ２は異なるハッチングで示されている。同様に、ＤＭＲＳ１またはＤＭＲＳ２を考慮して、図１Ａと同じルールが適用され得、すなわち、ＤＭＲＳ１またはＤＭＲＳ２のパターンが時間および周波数領域にわたって拡散するようにできる限り分配され得るように、ＤＭＲＳ１またはＤＭＲＳ２のＲＥのロケーション（サブキャリアインデックス）はｓＴＴＩに応じて変更される。すなわち、ＤＭＲＳ１またはＤＭＲＳ２送信のために使用されるサブキャリアインデックスは、周波数領域におけるＯＳの少なくとも２つのグループ間で異なり、ＯＳの少なくとも２つのグループは時間領域において異なるｓＴＴＩ中で設定され得る。
【００５０】
図２は、異なる数のＤＭＲＳ  ＲＥがｓＴＴＩの異なる長さに応じて適用される実施形態の概略図を示す。
【００５１】
図１Ａとは異なり、別の例では、周波数領域におけるＯＳの各グループ中のＤＭＲＳ送信のために使用されるサブキャリアの数は、ＯＳグループが属するｓＴＴＩの長さに依存する。
【００５２】
たとえば、時間領域におけるより長い長さを有する第１のｓＴＴＩ中のＯＳの第１のグループ、および時間領域におけるより短い長さを有する第２のｓＴＴＩ中のＯＳの第２のグループについて、周波数領域におけるＯＳの第２のグループよりも多数のサブキャリアがＯＳの第１のグループ中のＤＭＲＳ送信のために設定され得る。
【００５３】
図２に関して、左側からＯＳの第１の２つのグループ間で比較が行われ得る。ＯＳの第１のグループは３ＯＳ  ｓＴＴＩに属し、ＯＳの第２のグループは２ＯＳ  ｓＴＴＩに属する。したがって、ＯＳの第１のグループ中で設定されたＤＭＲＳ  ＲＥ（３つのサブキャリア）の３つのペア、およびＯＳの第２のグループ中で設定されたＤＭＲＳ  ＲＥ（２つのサブキャリア）の２つのペアがある。
【００５４】
図３Ａは、サブキャリア中のＤＭＲＳ  ＲＥシフティングがイントラスロットシナリオにおいて適用される実施形態の概略図を示す。図３Ａでは、２つのポートの例が示されている。そこでは、ＤＭＲＳはＲＥの１つのペアを占有する。
【００５５】
図３Ａでは、２つのサブフレーム、サブフレーム０およびサブフレーム１が時間領域において示されている。しかしながら、それらの後続のサブフレームについて、それらは同様にサブフレーム０および／またはサブフレーム１として設定され得る。サブフレーム０およびサブフレーム１の各々は２つのスロット、スロット０およびスロット１からなり得る。スロット０およびスロット１の各々は時間領域における７つのＯＦＤＭシンボル（ＯＳ）からなり得る。周波数領域において、各ＯＦＤＭシンボルは、連続的にインデックス付けされ得る１２個のサブキャリアを含み得る。図３Ａでは、１つのショートＴＴＩ（ｓＴＴＩ）は７つのＯＦＤＭシンボルを含み、すなわち、１つのスロットは１つのｓＴＴＩからなる。チャネル態様に鑑みて、物理ダウンリンク制御チャネル（ＰＤＣＣＨ）はそれぞれのサブフレームの第１のｓＴＴＩ（スロット０）の始まりに位置し、物理ダウンリンク共有チャネル（ＰＤＳＣＨ）は、ＰＤＣＣＨの後にあり、スロット０の大部分とスロット１全体とを含む。また、図３Ａに示されているように、２つのＯＦＤＭシンボルはＯＦＤＭシンボルの１つのグループにグループ化され、したがって、１つのスロットはＯＦＤＭシンボルの１つまたは２つまたは３つのグループを含み得る。たとえば、スロット０はＯＦＤＭシンボルの２つのグループを含み、スロット１もＯＦＤＭシンボルの２つのグループを含む。さらに、１つのＤＭＲＳは２つのＲＥを占有する。サブフレーム、スロット、ｓＴＴＩ、ＰＤＣＣＨ、ＰＤＳＣＨ、ＯＳのグループについての同じ説明は図３Ｂおよび図６にも適用され得、したがって、それらは、図３Ｂおよび図６について説明するとき、簡潔および簡明のために反復されない。
【００５６】
図３Ａによれば、ＤＭＲＳ  ＲＥのロケーション（サブキャリアインデックス）は１つのスロット中で変更される。すなわち、ＤＭＲＳ送信のために使用されるサブキャリアインデックスは、周波数領域におけるＯＦＤＭシンボルの少なくとも２つのグループ間で異なり、ＯＳの少なくとも２つのグループは時間領域における同一のスロット中で設定され得る。ＯＳの２つのグループ間で異なるサブキャリアインデックスがただ１つである場合、すなわち、サブキャリアインデックスが互いに完全に異なり得るかまたは部分的に異なり得る場合でも、ＯＳの２つのグループ中のＤＭＲＳ送信のために使用されるサブキャリアインデックスは異なる。
【００５７】
一例では、同数のＤＭＲＳ  ＲＥ（サブキャリア）が同一のスロット中のＯＳの少なくとも２つのグループ中で周波数領域において設定され得る。たとえば、ＤＭＲＳ  ＲＥ（３つのサブキャリア）の３つのペアが、図３Ａに示されたＯＳのすべての８つのグループ中で使用される。さらに、サブキャリアインデックスの間隔は、図３Ａに示されているように４および３でインターリーブされる。
【００５８】
図３Ｂは、サブキャリア中のＤＭＲＳ  ＲＥシフティングがイントラスロットシナリオ中で適用される別の実施形態の概略図を示す。図３Ｂでは、４つのポートの例が示されている。そこでは、ＤＭＲＳはＲＥペアの２つのセットを占有し、すなわち、ＤＭＲＳ１は２つのポートに対応し、ＤＭＲＳ２は別の２つのポートに対応し、図３Ｂにおいて、ＤＭＲＳ１およびＤＭＲＳ２は異なるハッチングで示されている。同様に、ＤＭＲＳ１またはＤＭＲＳ２を考慮して、ＤＭＲＳ１またはＤＭＲＳ２のパターンが時間および周波数領域にわたって拡散するようにできる限り分配され得るように、図３Ａと同じルールが適用され得、すなわち、ＤＭＲＳ１またはＤＭＲＳ２のＲＥのロケーション（サブキャリアインデックス）が１つのスロット中で変更される。すなわち、ＤＭＲＳ１またはＤＭＲＳ２送信のために使用されるサブキャリアインデックスは、周波数領域におけるＯＳの少なくとも２つのグループ間で異なり、ＯＳの少なくとも２つのグループは時間領域における同一のスロット中で設定され得る。
【００５９】
図４は、異なる数のＤＭＲＳ  ＲＥが異なるスロットのために適用される実施形態の概略図を示す。図４では、２つのポートの例が示されている。そこでは、ＤＭＲＳはＲＥの１つのペアを占有する。
【００６０】
図４では、２つのサブフレーム、サブフレーム０およびサブフレーム１が時間領域において示されている。しかしながら、それらの後続のサブフレームについて、それらは同様にサブフレーム０および／またはサブフレーム１として設定され得る。サブフレーム０およびサブフレーム１の各々は２つのスロット、スロット０およびスロット１からなり得る。スロット０およびスロット１の各々は時間領域における７つのＯＦＤＭシンボル（ＯＳ）からなり得る。周波数領域において、各ＯＦＤＭシンボルは、連続的にインデックス付けされ得る１２個のサブキャリアを含み得る。図４では、１つのショートＴＴＩ（ｓＴＴＩ）は７つのＯＦＤＭシンボルを含み、すなわち、１つのスロットは１つのｓＴＴＩからなる。チャネル態様に鑑みて、物理ダウンリンク制御チャネル（ＰＤＣＣＨ）はそれぞれのサブフレームの第１のｓＴＴＩ（スロット０）の始まりに位置し、物理ダウンリンク共有チャネル（ＰＤＳＣＨ）は、ＰＤＣＣＨの後にあり、スロット０の大部分とスロット１全体とを含む。また、図４に示されているように、２つのＯＦＤＭシンボルはＯＦＤＭシンボルの１つのグループにグループ化され、したがって、１つのスロットはＯＦＤＭシンボルの１つまたは２つまたは３つのグループを含み得る。たとえば、スロット０はＯＦＤＭシンボルの１つのグループを含み、スロット１もＯＦＤＭシンボルの１つのグループを含む。さらに、１つのＤＭＲＳは２つのＲＥを占有する。
【００６１】
図４によれば、ＤＭＲＳパターンが時間および周波数領域にわたって拡散するようにできる限り分配され得るように、ＤＭＲＳ  ＲＥのロケーション（サブキャリアインデックス）はスロットに従って変更される。すなわち、ＤＭＲＳ送信のために使用されるサブキャリアインデックスは、周波数領域におけるＯＦＤＭシンボルの少なくとも２つのグループ間で異なり、ＯＦＤＭシンボルの少なくとも２つのグループは時間領域における異なるスロット中で設定され得る。ＯＳの２つのグループ間で異なるサブキャリアインデックスがただ１つである場合、すなわち、サブキャリアインデックスが互いに完全に異なり得るかまたは部分的に異なり得る場合でも、ＯＳの２つのグループ中のＤＭＲＳ送信のために使用されるサブキャリアインデックスは異なる。
【００６２】
一例では、同数のＤＭＲＳ  ＲＥ（サブキャリア）が異なるスロット（または異なるｓＴＴＩ）中のＯＳの異なるグループのために使用され得る。
【００６３】
別の例では、異なる数のＤＭＲＳ  ＲＥ（サブキャリア）が、異なるスロット（または異なるｓＴＴＩ）中のＯＳの異なるグループ中のＤＭＲＳ送信のために使用され得る。たとえば、図４において、スロット０中のＯＳのグループ中に設定されたＤＭＲＳ  ＲＥ（２つのサブキャリア）の２つのペア、およびスロット１中のＯＳのグループ中に設定されたＤＭＲＳ  ＲＥ（３サブキャリア）の３つのペアがある。
【００６４】
図５は、サブキャリア中のＤＭＲＳ  ＲＥシフティングがインターサブフレームシナリオにおいて適用される実施形態の概略図を示す。図５では、２つのポートの例が示されている。そこでは、ＤＭＲＳはＲＥの１つのペアを占有する。
【００６５】
図５では、２つのサブフレーム、サブフレーム０およびサブフレーム１が時間領域において示されている。しかしながら、それらの後続のサブフレームについて、それらは同様にサブフレーム０および／またはサブフレーム１として設定され得る。サブフレーム０およびサブフレーム１の各々は２つのスロット、スロット０およびスロット１からなり得る。スロット０およびスロット１の各々は時間領域における７つのＯＦＤＭシンボル（ＯＳ）からなり得る。周波数領域において、各ＯＦＤＭシンボルは、連続的にインデックス付けされ得る１２個のサブキャリアを含み得る。図５では、１つのショートＴＴＩ（ｓＴＴＩ）は７つのＯＦＤＭシンボルを含み、すなわち、１つのスロットは１つのｓＴＴＩからなる。チャネル態様に鑑みて、物理ダウンリンク制御チャネル（ＰＤＣＣＨ）はそれぞれのサブフレームの第１のｓＴＴＩ（スロット０）の始まりに位置し、物理ダウンリンク共有チャネル（ＰＤＳＣＨ）は、ＰＤＣＣＨの後にあり、スロット０の大部分とスロット１全体とを含む。また、図５に示されているように、２つのＯＦＤＭシンボルはＯＦＤＭシンボルの１つのグループにグループ化され、したがって、１つのスロットはＯＦＤＭシンボルの１つまたは２つまたは３つのグループを含み得る。たとえば、スロット０はＯＦＤＭシンボルの１つのグループを含み、スロット１もＯＦＤＭシンボルの１つのグループを含む。さらに、１つのＤＭＲＳは２つのＲＥを占有する。
【００６６】
図５によれば、ＤＭＲＳパターンが時間および周波数領域にわたって拡散するようにできる限り分配され得るように、ＤＭＲＳ  ＲＥのロケーション（サブキャリアインデックス）はサブフレームに従って変更される。すなわち、ＤＭＲＳ送信のために使用されるサブキャリアインデックスは、周波数領域におけるＯＦＤＭシンボルの少なくとも２つのグループ間で異なり、ＯＦＤＭシンボルの少なくとも２つのグループは時間領域における異なるサブフレーム中で設定され得る。ＯＳの２つのグループ間で異なるサブキャリアインデックスがただ１つである場合、すなわち、サブキャリアインデックスが互いに完全に異なり得るかまたは部分的に異なり得る場合でも、ＯＳの２つのグループ中のＤＭＲＳ送信のために使用されるサブキャリアインデックスは異なる。
【００６７】
一例では、同数のＤＭＲＳ  ＲＥ（サブキャリア）が異なるサブフレーム中のＯＳの異なるグループのために使用され得る。たとえば、図５において、サブフレーム０中のスロット０およびスロット１中のＯＳのそれぞれのグループ中でそれぞれ設定されたＤＭＲＳ  ＲＥ（２つのサブキャリア）の２つのペアがあり、また、サブフレーム１中のスロット０およびスロット１中のＯＳのそれぞれのグループ中でそれぞれ設定されたＤＭＲＳ  ＲＥ（２つのサブキャリア）の２つのペアがある。
【００６８】
別の例では、異なる数のＤＭＲＳ  ＲＥ（サブキャリア）が、異なるサブフレーム中のＯＳの異なるグループ中のＤＭＲＳ送信のために使用され得る。
【００６９】
図６は、サブキャリア中のＤＭＲＳ  ＲＥシフティングおよび異なる数のＤＭＲＳ  ＲＥがイントラスロットシナリオにおいて適用される実施形態の概略図を示す。
【００７０】
図３Ａとは異なり、別の例では、異なる数のＤＭＲＳ  ＲＥ（サブキャリア）が、同一のスロット中のＯＦＤＭシンボルの少なくとも２つのグループ中のＤＭＲＳ送信のために周波数領域において設定され得る。たとえば、図６では、スロット０中のＯＳの左側グループ中に設定されたＤＭＲＳ  ＲＥ（２つのサブキャリア）の２つのペアがあるが、スロット０中のＯＳの右側グループ中に設定されたＤＭＲＳ  ＲＥ（１つのサブキャリア）の１つのペアがあり、同様に、スロット１中のＯＳの左側グループ中に設定されたＤＭＲＳ  ＲＥ（２つのサブキャリア）の２つのペアがあるが、スロット１中のＯＳの右側グループ中に設定されたＤＭＲＳ  ＲＥ（１つのサブキャリア）の１つのペアがある。
【００７１】
図７Ａ〜図７Ｄは、ＤＭＲＳ  ＲＥがサブキャリア中でシフトされない同等の例の概略図を示す。サブフレーム、スロット、ｓＴＴＩ、ＰＤＣＣＨ、ＰＤＳＣＨ、ＯＳのグループについての同じ説明は図３Ａまたは図６に参照され得、したがって、それらは簡潔および簡明のために反復されない。図７Ａ〜図７Ｄにおいて、ＤＭＲＳ  ＲＥはサブキャリア中でシフトされず、ＤＭＲＳ  ＲＥの数も周波数および時間領域において変更されない。
【００７２】
図８Ａは、図６の実施形態と図７Ａ〜図７Ｄの同等の例との間のブロックエラーレート（ＢＬＥＲ）比較を示し、図８Ｂは、図６の実施形態と図７Ａ〜図７Ｄの同等の例との間のスループット比較を示す。
【００７３】
図６の上記のパターンは、低いＤＭＲＳオーバーヘッドを有し、高ドップラーチャネル中でうまく動作する。図６のソリューションは図７Ａ〜図７Ｄ中のソリューションと比較され得、図６のソリューションはＢＬＥＲ（図８Ａ）における利得およびスループット（図８Ｂ）を達成し得ることがわかる。
【００７４】
高ドップラー、低遅延拡散環境において図６のパターンを適用すると、チャネルがかなり周波数フラットであるとき、パターンはチャネルの速い変動をキャプチャすることができる。ここで、図７Ｃおよび図７Ｄの高ドップラー利益は低いオーバーヘッドで、しかし低遅延拡散のためにのみ与えられる。
【００７５】
高遅延拡散および低ドップラー環境において図６のパターンを適用すると、チャネルが時間とともにゆっくり変化するときのみ、パターンはチャネル周波数応答の速い変動をキャプチャすることができる。ここで、図７Ａおよび図７Ｂの高遅延拡散利益は低いオーバーヘッドで、しかし低いドップラーのためにのみ与えられる。
【００７６】
図８Ａおよび図８Ｂは、６０ｋｍ／ｈ  ＥＰＡチャネルモデルにおいてこのセクションにおいて説明されるＤＭＲＳパターンを使用するランク２ダウンリンク送信のシミュレーション結果を示す。図８Ａおよび図８Ｂは、リンク−レベルパフォーマンスのＢＬＥＲおよびスループットを示し、図７Ａ〜図７Ｄの他のＤＭＲＳパターンと比較して図６のＤＭＲＳパターンを使用する利益を示す。
【００７７】
図１０は、ＢＳまたはＵＥとして使用され得る装置１０００の実施形態を概略的に示す。
【００７８】
装置１０００中には、ここでは、たとえばデジタル信号プロセッサ（ＤＳＰ）をもつ処理ユニット１００６が備えられる。処理ユニット１００６は、本明細書で説明するプロシージャの異なる行為を実行するための単一のユニットまたは複数のユニットであり得る。装置１０００はまた、他のエンティティから信号を受信するための入力ユニット１００２と、他のエンティティに信号を与えるための出力ユニット１００４とを備え得る。入力ユニットおよび出力ユニットは、一体化されたエンティティとして、または図１０の例に示されているように構成され得る。
【００７９】
さらに、装置１０００は、不揮発性または揮発性メモリ、たとえば、電気的消去可能プログラマブル読取り専用メモリ（ＥＥＰＲＯＭ）、フラッシュメモリおよびハードドライブの形態の少なくとも１つのコンピュータプログラム製品１００８を備える。コンピュータプログラム製品１００８は、装置１０００中の処理ユニット１００６によって実行されたとき、処理ユニット１００６がその中に備えられた装置１０００に、たとえば、図９Ａまたは図９Ｂに関してＵＥまたはＢＳいずれかのために前に説明したプロシージャの行為を実行させる、コード／コンピュータ可読命令を備える、コンピュータプログラム１０１０を備える。
【００８０】
一実施形態では、コンピュータプログラム１０１０は、それぞれＢＳのためのＳ９１２〜Ｓ９１４の行為に対応するコンピュータプログラムモジュール１０８２〜１０８４、またはそれぞれＵＥのためのＳ９２２〜Ｓ９２４の行為に対応するコンピュータプログラムモジュール１０９２〜１０９４中に構造化されたコンピュータプログラムコードとして設定され得る。
【００８１】
簡明および簡潔のために、コンピュータプログラムモジュール１０８２〜１０８４または１０９２〜１０９４によって引き起こされる処理ユニット１００６の関連がある行為は、装置１０００が本開示で説明するＢＳまたはＵＥとして使用され得るように、ＢＳまたはＵＥによって実行される行為に正確に対応する。
【００８２】
図１０に関して上記で開示した実施形態におけるコード手段は、処理ユニット中で実行されたとき、デバイスに上述の図に関して上記で説明した行為を実行させるコンピュータプログラムモジュールとして実装され、コード手段の少なくとも１つは、代替実施形態では、少なくとも部分的にハードウェア回路として実装され得る。
【００８３】
プロセッサは、単一のＣＰＵ（中央処理ユニット）であり得るが、２つまたはそれ以上の処理ユニットをも備えることができる。たとえば、プロセッサは、汎用マイクロプロセッサ、すなわち、特定用途向け集積回路（ＡＳＩＣ）など、命令セットプロセッサおよび／または関係するチップセットおよび／または専用マイクロプロセッサを含み得る。プロセッサはキャッシュ目的のためにボードメモリをも備え得る。コンピュータプログラムは、プロセッサに接続されたコンピュータプログラム製品によって担持され得る。コンピュータプログラム製品は、コンピュータプログラムが記憶されたコンピュータ可読媒体を備え得る。たとえば、コンピュータプログラム製品は、フラッシュメモリ、ランダムアクセスメモリ（ＲＡＭ）、読取り専用メモリ（ＲＯＭ）、またはＥＥＰＲＯＭであり得、上記で説明したコンピュータプログラムモジュールは、代替実施形態では、ＵＥ内のメモリの形態の異なるコンピュータプログラム製品上に分配され得る。
【００８４】
本開示の実施形態では、実行されたとき、本開示による方法を１つまたは複数の計算デバイスに実行させる命令を記憶するコンピュータ可読記憶媒体（たとえば、コンピュータプログラム製品１００８）が提供される。
【００８５】
補助注記
本文書は、ｓＴＴＩシナリオにおけるＤＬ  ＤＭＲＳパターン設計のためのいくつかの特徴および方法を提示する。すなわち、時間／スロット／フレーム／シンボルおよびサブキャリアにわたるＲＥ（リソースエレメント）中のＤＭＲＳのパターンは、チャネル推定有効性およびオーバーヘッドのより良いトレードオフを達成するために、それらのＲＥの相対位置に関する異なる特徴で設計される。
【００８６】
以下の説明は、通常の１ｍｓ  ＴＴＩと同様のＤＭＲＳ設計に基づき、ＤＭＲＳは、２つのＲＥが２つのポートについてＤＭＲＳ（重複するが、直交コードによって分離される）を搬送するＲＥペアとして配置される。ポート０および１のためのＣＲＳポートはシンボル０、４、７、１１中に配置される。
【００８７】
特徴１：サブキャリア中のインターｓＴＴＩ  ＤＭＲＳ  ＲＥシフティング
ｓＴＴＩ固有の（サブキャリア中でシフトされる）ＤＭＲＳ  ＲＥロケーションは、パターンが時間および周波数次元にわたって拡散するようにできる限り分配されるように割り当てられる。
異なるタイプのｓＴＴＩ（たとえば、両方とも２または３ＯＳ  ｓＴＴＩのための２つのペア）における同数のＲＥ。
図１Ａによって示されているように、両方とも２または３ＯＳ  ｓＴＴＩのための２つのポート。
図１Ｂによって示されているように、両方とも２または３ＯＳ  ｓＴＴＩのための４つのポート。この方式は、ＤＭＲＳペアの２つのセット（ＤＭＲＳ１およびＤＭＲＳ２）、２つの第１のポートのためのＤＭＲＳ１、および次の２つのポートのためのＤＭＲＳ２を使用する。
【００８８】
特徴２：３ＯＳ  ｓＴＴＩ持続時間または２ＯＳ  ｓＴＴＩ持続時間における異なるＲＥ数
ｓＴＴＩの異なるタイプにおけるＲＥのｓＴＴＩ固有の数（たとえば、それぞれ２または３ＯＳ  ｓＴＴＩのための２つまたは３つのペア）、すなわち、ＯＦＤＭシンボル中でｓＴＴＩ長さがわずかに異なるように、異なるＲＥが異なるｓＴＴＩのために使用される。
（２つのポート、（２／３ＯＳ  ｓＴＴＩ）、２ＯＳ  ＰＤＣＣＨ）をもつケースの例が図２の場合と同様に示されている。
【００８９】
特徴３：サブキャリア（２つのポート）中のイントラスロットＤＭＲＳ  ＲＥシフティング
ＤＭＲＳ  ＲＥはスロットｓＴＴＩのための異なるポートペアのためのサブキャリア上でシフトする。
（２つのポート、（スロットｓＴＴＩ）、２ＯＳ  ＰＤＣＣＨ）をもつそのようなケースの例が図３Ａに示されている。
（４つのポート、（スロットｓＴＴＩ）、２ＯＳ  ＰＤＣＣＨ）をもつケースのそのような例が図３Ｂに示されている。
【００９０】
特徴４：スロット０およびスロット１についての異なるＤＭＲＳ  ＲＥ数。
データとＤＭＲＳ  ＲＥとの比がより均一であるような、スロット０およびスロット１についての異なるＤＭＲＳ  ＲＥペア数（スロット０のための２つのＲＥペア、およびスロット１のための３つのＲＥペア）。一例が図４に示されている。
【００９１】
特徴５：サブキャリア中のインターフレームＤＭＲＳ  ＲＥシフティング
異なるスロットまたはサブフレームで、ＤＭＲＳのＲＥが異なるサブキャリアにあり、複数のｓＴＴＩスケジューリングのケースまたは他のいくつかのケースについて、これらがより良いパフォーマンスをもたらすことができるように、ＤＭＲＳ  ＲＥはスロットまたはサブフレームにわたってシフトする。
一例が図５に示されている。
【００９２】
特徴６：異なる時間および周波数におけるＤＭＲＳ  ＲＥ
２レイヤ１スロットＴＴＩ通信のための以下のＤＭＲＳパターンをも提案する。
これは上記の特徴３（図３Ａ）の特殊なケースであり、各スロットは、ＤＭＲＳを搬送する２つのシンボルペアを有する。第１のシンボルペアは２つのサブキャリア上にＤＭＲＳを有し、第２のシンボルペアは、追加のサブキャリア上に２つの第１のシンボルペアとは異なるＤＭＲＳを有する。ＤＭＲＳのためのＲＥ分布が図６に示されている。
上記のパターンは、低いＤＭＲＳオーバーヘッドを有し、高ドップラーチャネルにおいてうまく動作する。上記のパターンを以下のパターン（図７Ａ〜図７Ｄ）と比較すると、図６の上記のパターンを使用するスループットおよびＢＬＥＲにおける利得を受け得る。
高ドップラー低遅延拡散環境においてパターンを適用すると、チャネルがかなり周波数フラットであるとき、パターンはチャネルの速い変動をキャプチャすることができる。（低いオーバーヘッドで、しかし低遅延拡散のためにのみ、図７Ｃおよび図７Ｄの高ドップラー利益を与える）。図７Ａ〜図７Ｄはパターンオプションを示す。
高遅延拡散および低ドップラー環境においてパターンを適用すると、チャネルが時間とともにゆっくり変化するときのみ、パターンはチャネル周波数応答の速い変動をキャプチャすることができる。（低いオーバーヘッドで、しかし低いドップラーのためにのみ、図７Ａおよび図７Ｂの高遅延拡散利益を与える）
以下の図（図８Ａおよび図８Ｂ）は、６０ｋｍ／ｈ  ＥＰＡチャネルモデルにおいてこのセクションにおいて説明されるＤＭＲＳパターンを使用するランク２ダウンリンク送信のシミュレーション結果を示す。図８Ａおよび図８Ｂは、リンクレベルパフォーマンスのＢＬＥＲおよびスループットを示し、他のＤＭＲＳパターンと比較した「特徴６に関する提案されるパターン」を使用する利益を示す。
【００９３】
第１の実施形態では、ＤＭＲＳ送信のために使用されるサブキャリアインデックスが２つのグループ間で異なる、ＯＦＤＭシンボルの２つまたはそれ以上のグループ中のＤＭＲＳ配置が示される。
【００９４】
第２の実施形態では、第１の実施形態に基づいて、２つのグループは異なるショートＴＴＩ中にあり得る（特徴１）。
【００９５】
第３の実施形態では、第２の実施形態に基づいて、各グループ中の使用されるサブキャリアの数はショートＴＴＩの長さに依存し得る（特徴２）。
【００９６】
第４の実施形態では、第１の実施形態に基づいて、２つのグループは同じスロット中にあり得る（特徴３）。
【００９７】
第５の実施形態では、第１の実施形態に基づいて、２つのグループは異なるスロット中にあり得、使用されるサブキャリアの数は異なる（特徴４）。
【００９８】
第６の実施形態では、第１の実施形態に基づいて、２つのグループは異なるサブフレーム中にあり得る（特徴５）。
【００９９】
第７の実施形態では、第４の実施形態に基づいて、２つのグループは異なる数のサブキャリアを有し得る（特徴６）。
【０１００】
特定の実施形態に関して本技術について上記で説明したが、本技術は、本明細書に記載された特定の形態に限定されるものではない。たとえば、本明細書で提示された実施形態は既存のＮＲ／ＬＴＥ設定に限定されない。むしろ、それらは、将来において定義される新しいＮＲ／ＬＴＥ設定に等しく適用可能である。本技術は、添付の特許請求の範囲によってのみ限定され、特定の上記以外の実施形態は添付の特許請求の範囲の範囲内で等しく可能である。本明細書で使用する際、「ｃｏｍｐｒｉｓｅ／ｃｏｍｐｒｉｓｅｓ（備える、含む）」または「ｉｎｃｌｕｄｅ／ｉｎｃｌｕｄｅｓ（含む）」という用語は他の要素またはステップの存在を除外しない。さらに、個々の特徴は異なる請求項に含まれ得るが、これらは、場合によっては有利に組み合わせられ得、異なる請求項を含めることは、特徴の組合せが実現可能および／または有利ではないことを暗示しない。さらに、単数の参照は複数を除外しない。最後に、特許請求の範囲における参照符号は単に明快な例として与えられ、いかなる形でも特許請求の範囲を限定するものとして解釈されるべきではない。
【図１Ａ】
2020530688.tif 000003
【図１Ｂ】
2020530688.tif 000004
【図２】
2020530688.tif 000005
【図３Ａ】
2020530688.tif 000006
【図３Ｂ】
2020530688.tif 000007
【図４】
2020530688.tif 000008
【図５】
2020530688.tif 000009
【図６】
2020530688.tif 000010
【図７Ａ】
2020530688.tif 000011
【図７Ｂ】
2020530688.tif 000012
【図７Ｃ】
2020530688.tif 000013
【図７Ｄ】
2020530688.tif 000014
【図８Ａ】
2020530688.tif 000015
【図８Ｂ】
2020530688.tif 000016
【図９Ａ】
2020530688.tif 000017
【図９Ｂ】
2020530688.tif 000018
【図１０】
2020530688.tif 000019
【国際調査報告】
2020530688.tif 000020
2020530688.tif 000021